(57)【要約】【課題】飛沫感染対策用のパーテーションとして用いることが可能で、かつ比較的簡単に設置したり移動させたりすることが可能な対面カバーを提供する。【解決手段】テーブル面に設置可能な対面カバー１であって、下窓Ｗが形成された正面板１１、右側面板１２、左側面板１３、上面板１４からなり、下面および背面が開放されたカバー本体と、下面がテーブル面に接する第１板部材２１、第１板部材２１の前端から上方向に垂直に延びる第２板部材２２からなり、カバー本体１０から分離した窓蓋２０とを備え、カバー本体１０および窓蓋２０をテーブル面に設置し、かつ正面板１１の後面に第２板部材２２の前面周縁部２２ａを接触させた状態において、第２板部材２２の前面中央部２２ｂによって下窓Ｗが閉じられた状態になることを特徴とする。【選択図】図１
0003226667.tif 000002
【実用新案登録請求の範囲】
【請求項１】
テーブル面に設置可能な対面カバーであって、
下窓が形成された正面板、右側面板、左側面板、上面板からなり、下面および背面が開放されたカバー本体と、
下面が前記テーブル面に接する第１板部材、前記第１板部材の前端から上方向に延びるとともに前記下窓よりも大きい寸法の第２板部材からなり、前記カバー本体から分離した窓蓋と、を備え、
前記カバー本体および前記窓蓋を前記テーブル面に設置し、かつ前記正面板の後面に前記第２板部材の前面周縁部を接触させた状態において、前記第２板部材の前面中央部によって前記下窓が閉じられた状態になることを特徴とする対面カバー。
【請求項２】
前記カバー本体および前記窓蓋は、透明なアクリル板で構成されることを特徴とする請求項１に記載の対面カバー。
【請求項３】
前記右側面板および前記左側面板の厚さは、前記正面板の厚さよりも大きいことを特徴とする請求項１または２に記載の対面カバー。
【考案の詳細な説明】
【技術分野】
【０００１】
本考案は、対面カバーに関する。
【背景技術】
【０００２】
近年、新型コロナウイルス等の飛沫感染対策として、カウンター等のテーブル面に設置可能なパーテーションとしての対面カバーが求められている。特許文献１には、防犯用としての対面カバーが開示されているが、部品点数が多く構造が複雑であるため、簡単に設置したり移動させたりすることができない。このため、特許文献１に記載の対面カバーを、飛沫感染対策用のパーテーションとして用いるのは困難である。
【先行技術文献】
【特許文献】
【０００３】
【特許文献１】特開平８−２８０４９４号公報
【考案の概要】
【考案が解決しようとする課題】
【０００４】
本考案は上記事情に鑑みてなされたものであって、その課題とするところは、飛沫感染対策用のパーテーションとして用いることが可能で、かつ比較的簡単に設置したり移動させたりすることが可能な対面カバーを提供することにある。
【課題を解決するための手段】
【０００５】
上記課題を解決するために、本考案に係る対面カバーは、
テーブル面に設置可能な対面カバーであって、
下窓が形成された正面板、右側面板、左側面板、上面板からなり、下面および背面が開放されたカバー本体と、
下面が前記テーブル面に接する第１板部材、前記第１板部材の前端から上方向に延びるとともに前記下窓よりも大きい寸法の第２板部材からなり、前記カバー本体から分離した窓蓋と、を備え、
前記カバー本体および前記窓蓋を前記テーブル面に設置し、かつ前記正面板の後面に前記第２板部材の前面周縁部を接触させた状態において、前記第２板部材の前面中央部によって前記下窓が閉じられた状態になることを特徴とする。
【０００６】
上記対面カバーにおいて、
前記カバー本体および前記窓蓋は、透明なアクリル板で構成してもよい。
【０００７】
上記対面カバーにおいて、
前記右側面板および前記左側面板の厚さは、前記正面板の厚さよりも大きくてもよい。
【考案の効果】
【０００８】
本考案によれば、飛沫感染対策用のパーテーションとして用いることが可能で、かつ比較的簡単に設置したり移動させたりすることが可能な対面カバーを提供することができる。
【図面の簡単な説明】
【０００９】
【図１】本考案に係る対面カバーを示す図であって、（Ａ）は下窓が開いた状態の図、（Ｂ）は下窓が閉じた状態の図である。
【考案を実施するための形態】
【００１０】
以下、添付図面を参照して、本考案に係る対面カバーの実施形態について説明する。
【００１１】
図１に本考案の一実施形態に係る対面カバー１を示す。本実施形態に係る対面カバー１は、カバー本体１０と窓蓋２０とを備え、カウンター等のテーブル面に設置可能に構成されている。
【００１２】
カバー本体１０は、正面板１１、右側面板１２、左側面板１３、上面板１４を備え、下面および背面が開放されている。正面板１１、右側面板１２、左側面板１３、上面板１４は、いずれも透明なアクリル板で構成されている。
【００１３】
正面板１１は、矩形状のアクリル板の下端の中央に下窓Ｗを形成したものである。カバー本体１０をテーブル面に設置した状態（以下、「設置状態」という。）において、正面板１１の寸法は、幅９８０［ｍｍ］、高さ８６０［ｍｍ］、厚さ２［ｍｍ］である。設置状態において、正面板１１は、下端の両端がテーブル面に接する。
【００１４】
下窓Ｗは、正面板１１の下端の中央に切り欠き（凹部）を設けることによって形成される。下窓Ｗの寸法は、幅３００［ｍｍ］、高さ１２０［ｍｍ］であり、角が丸みを帯びている。例えば、対面カバー１を店舗にあるカウンターのテーブル面に設置して使用する場合、図１（Ａ）に示す下窓Ｗが開いた状態において、正面板１１を介して対向する人物同士で、お互いの飛沫感染を防止しつつ、下窓Ｗから商品や金銭の受け渡しが可能となる。
【００１５】
右側面板１２は、矩形状のアクリル板で構成され、正面板１１の右端から後方向に延びている。右側面板１２と正面板１１とのなす角は９０度である。右側面板１２の寸法は、幅２００［ｍｍ］、高さ８６０［ｍｍ］、厚さ３［ｍｍ］である。設置状態において、右側面板１２は、下端がテーブル面に接する。
【００１６】
左側面板１３は、矩形状のアクリル板で構成され、正面板１１の左端から後方向に延びている。左側面板１３と正面板１１とのなす角は９０度である。左側面板１３の寸法は、幅２００［ｍｍ］、高さ８６０［ｍｍ］、厚さ３［ｍｍ］である。設置状態において、左側面板１３は、下端がテーブル面に接する。
【００１７】
上面板１４は、矩形状のアクリル板で構成され、正面板１１の上端から後方向に延びている。上面板１４と正面板１１とのなす角は９０度であり、上面板１４と右側面板１２および左側面板１３とのなす角も９０度である。上面板１４の寸法は、幅９８０［ｍｍ］、奥行き方向（前後方向）の長さ２００［ｍｍ］、厚さ３［ｍｍ］である。
【００１８】
カバー本体１０は、右側面板１２および左側面板１３の厚さが正面板１１の厚さよりも大きいので、テーブル面に安定的に設置することができる。言い換えれば、もっとも大きい正面板１１の厚さを薄くして軽量化を図ることで、テーブル面に安定的に設置することができる。
【００１９】
窓蓋２０は、第１板部材２１、第２板部材２２を備え、カバー本体１０から分離している。第１板部材２１、第２板部材２２は、いずれも透明なアクリル板で構成されている。
【００２０】
第１板部材２１は、矩形状のアクリル板で構成され、下面がテーブル面に接する。第１板部材２１の寸法は、幅４００［ｍｍ］、奥行き方向（前後方向）の長さ５０［ｍｍ］、厚さ３［ｍｍ］である。
【００２１】
第２板部材２２は、矩形状のアクリル板で構成され、第１板部材２１の前端から上方向に垂直に延びている。第２板部材２２の寸法は、幅４００［ｍｍ］、高さ１５０［ｍｍ］、厚さ３［ｍｍ］である。
【００２２】
図１（Ｂ）に示すように、カバー本体１０および窓蓋２０をテーブル面に設置し、かつ正面板１１の後面（下窓Ｗの周辺部）に第２板部材２２の前面周縁部２２ａを接触させた状態において、第２板部材２２の前面中央部２２ｂによって下窓Ｗが閉じられた状態になる。
【００２３】
結局、対面カバー１によれば、飛沫感染対策用のパーテーションとして用いることができ、かつカバー本体１０と窓蓋２０の２点で構成されており構造が単純であるため、比較的簡単に設置したり移動させたりすることができる。また、対面カバー１によれば、窓蓋２０を移動させるだけで、下窓Ｗを開いた状態にしたり閉じた状態にしたりすることができる。
【００２４】
以上、本考案に係る対面カバーの好ましい実施形態について説明したが、本考案は上記実施形態に限定されるものではない。
【００２５】
本考案に係る対面カバーは、テーブル面に設置可能な対面カバーであって、下窓が形成された正面板、右側面板、左側面板、上面板からなり、下面および背面が開放されたカバー本体と、下面がテーブル面に接する第１板部材、第１板部材の前端から上方向に延びるとともに下窓よりも大きい寸法の第２板部材からなり、カバー本体から分離した窓蓋と、を備え、カバー本体および窓蓋をテーブル面に設置し、かつ正面板の後面に第２板部材の前面周縁部を接触させた状態において、第２板部材の前面中央部によって下窓が閉じられた状態になるのであれば、適宜構成を変更できる。
【００２６】
上記実施形態では、カバー本体１０および窓蓋２０は、透明なアクリル板で構成されているが、少なくとも一部をアクリル以外の素材（例えば、透明または半透明な樹脂）で構成してもよい。
【００２７】
カバー本体１０の寸法は適宜変更することができ、窓蓋２０の寸法も下窓Ｗの寸法に応じて適宜変更することができる。例えば、上記実施形態では、右側面板１２および左側面板１３の厚さを正面板１１の厚さよりも大きくしているが、同じ厚さにしてもよい。当然ながら、幅や高さも適宜変更することができる。
【００２８】
また、正面板１１を介して対向する人物同士の声を聞き取りやすくするために、複数の孔部を設けてもよいが、飛沫感染対策の観点からは、上記孔部は、正面板１１には設けず、右側面板１２および左側面板１３の少なくとも一方側に設けることが好ましい。
【００２９】
本考案に係る対面カバーは、直接テーブル面に設置することができるが、任意の土台を介してテーブル面に設置してもよい。
【符号の説明】
【００３０】
１    対面カバー
１０    カバー本体
１１    正面板
１２    右側面板
１３    左側面板
１４    上面板
２０    窓蓋
２１    第１板部材
２２    第２板部材
２２ａ    前面周縁部
２２ｂ    前面中央部
【図１】
0003226667.tif 000003